(57)【要約】【課題】  ロールペーパーを簡便に装填することができ、しかも所要の長さ分を引き出したペーパーをカットバーを当てて軸心に対し左右いずれの方向に引き上げる操作をしても、ロールペーパーの引き出し分を片手で容易かつ確実に切り取ることができるようにする。【解決手段】  ロールペーパーホルダー１は、ロールペーパーを装填してその巻き端から順次所要の長さ分だけ引き出して切り取るためのものである。ロールペーパーホルダー１は、ロールペーパーの巻き芯部を嵌める支持筒２と、支持筒２に備えた揺動レバー３とで構成される。揺動レバー３は、支持筒２と略平行なカットバー９を備えているとともに、揺動レバー３の揺動にともなって支持筒２の周面から出没するストッパーを備えている。【選択図】図１
2010012063.tif 000002
【特許請求の範囲】
【請求項１】
ロールペーパーを装填してその巻き端から順次所要の長さ分だけ引き出して切り取るロールペーパーホルダーであって、
ロールペーパーの巻き芯部を嵌める支持筒と、
前記支持筒に備えた揺動レバーとで構成され、
前記揺動レバーは、前記支持筒と平行なカットバーを備えているとともに、揺動レバーの揺動にともなって前記支持筒の周面から出没するストッパーを備えている
ことを特徴とするロールペーパーホルダー。
【請求項２】
前記カットバーは、その下辺に下から見て略山形状の鋸歯状刃を有していることを特徴とする請求項１記載のロールペーパーホルダー。
【請求項３】
前記揺動レバーは、支持筒の基端壁に固定されて支持筒内で先端方向に延出している支持部に軸支されていてその軸支端に支持筒の周面から出没するストッパーを備えていることを特徴とする請求項１または２記載のロールペーパーホルダー。
【請求項４】
前記支持筒の先端には、支持筒の端面形状と同形状の抜け止め板を備えており、この抜け止め板は軸心に対し自重で変位する取付構造をなしていることを特徴とする請求項１乃至３のいずれかに記載のロールペーパーホルダー。
【発明の詳細な説明】
【技術分野】
【０００１】
本発明は、トイレットペーパーなどのロールペーパーを装填してその巻き端から順次所要の長さ分だけ引き出して切り取るロールペーパーホルダーに関するものである。
【背景技術】
【０００２】
ホルダー本体に装填したロールペーパーの巻き端をホルダー本体の奥側下面から少しだけ常に垂れ下げておき、使用時にはその垂れ下げ部分を摘んで手前側に所要長さ分だけ引き出し、ホルダー本体の手前側下部に位置するカッター部に引っ掛けて引き上げる片手操作で切り取ることができるようにしたトイレットペーパーホルダーは、特開平８−２８０５７７号公報において紹介されている。
【０００３】
また、ロールペーを装填する支持軸をその基端を固定してあって先端を開放状態とした片持ち構造のロールペーパーホルダーは、その全体の構成が簡素であるところから、従来から種々のものが提案されている（例えば、特開２０００−２３７０９２公報、特開２０００−９３３４６公報、特開２００１−７８９２１公報、特開２００１−３６０公報、実開平５−８２３９５号公報および実用新案登録第３０４２７１４号公報参照）。
【特許文献１】特開平８−２８０５７７号公報
【特許文献２】特開２０００−２３７０９２公報
【特許文献３】特開２０００−９３３４６公報
【特許文献４】特開２００１−７８９２１公報
【特許文献５】特開２００１−３６０公報
【特許文献６】実開平５−８２３９５号公報
【特許文献７】実用新案登録第３０４２７１４号公報
【発明の開示】
【発明が解決しようとする課題】
【０００４】
前掲の特開２０００−２３７０９２公報において紹介されているロールペーパーホルダーによれば、支持軸の開放端からロールペーパーを簡便に装填することができ、しかも所要の長さ分を引き出したペーパーをカットバーに当てて引き上げることにより、ロールペーパーを支持軸に固定して容易にカットできるので、使用にあたってはロールペーパーの引き出しとカッティングとを片手で容易にでき、手の一方が不自由であっても使い勝手のよいものである。
【０００５】
しかしながら、ロールペーパーの引き出しとカッティング操作は、ロールペーパーの軸心に対して一方向に限られるので、ペーパーホルダーの取付態様や場所の状況、あるいは使用者の身障度合や状態によっては、必ずしも使い勝手が良好でないことも実情である。
【０００６】
そこで本発明は、そのような問題点を解消しようとするものであって、ロールペーパーの巻き芯部を嵌める支持筒に備えた揺動レバーにカットバーを備えるとともに、その揺動にともなって前記支持筒の周面から出没するストッパーを備えることにより、支持軸の開放端からロールペーパーを簡便に装填することができ、しかも所要の長さ分を引き出したペーパーをカットバーを当てて軸心に対し左右いずれの方向に引き上げる操作をしても、ロールペーパーの引き出し分を片手で容易かつ確実に切り取ることができるロールペーパーホルダーを提供することを目的とするものである。
【課題を解決するための手段】
【０００７】
上記目的を達成する本発明の請求項１係るロールペーパーホルダーは、ロールペーパーを装填してその巻き端から順次所要の長さ分だけ引き出して切り取るロールペーパーホルダーであって、ロールペーパーの巻き芯部を嵌める支持筒と、前記支持筒に備えた揺動レバーとで構成され、前記揺動レバーは、前記支持筒と略平行なカットバーを備えているとともに、揺動レバーの揺動にともなって前記支持筒の周面から出没するストッパーを備えていることを特徴とするものである。
【０００８】
本発明において、カットバーは、その下辺に下から見て略山形状の鋸歯状刃を有しており、また揺動レバーは、支持筒の基端壁に固定されて支持筒内で先端方向に延出している支持部に軸支されていてその軸支端に支持筒の周面から出没するストッパーを備えており、さらに支持筒の先端には、支持筒の端面形状と略同形の抜け止め板を備えていて、この抜け止め板は軸心に対し自重で変位する取付構造をなしている構成であることが好適である。
【発明の効果】
【０００９】
本発明に係るロールペーパーホルダーによれば、ロールペーパーの巻き芯部を嵌める支持筒に備えた揺動レバーにカットバーを備えるとともに、その揺動にともなって前記支持筒の周面から出没するストッパーを備えることにより、支持軸の開放端からロールペーパーを簡便に装填することができ、しかも所要の長さ分を引き出したペーパーをカットバーを当てて軸心に対し左右いずれの方向に引き上げる操作をしても、ロールペーパーの引き出し分を片手で容易かつ確実に切り取ることができる効果が得られる。
【発明を実施するための最良の形態】
【００１０】
図１は本発明の一実施の形態に係るロールペーパーホルダーの全体斜視図、図２は同上縦断側面図、図３は要部の斜視図、図４はロールペーパーを装填した態様の支持筒部分を破断して示す正面図、図５は同上ロールペーパーホルダーを引き出して切り取る態様の支持筒部分を破断して示す正面図、図６図および図７は図１とそれぞれ異なる角度からみた全体斜視図である。
【００１１】
図に示すように、１はロールペーパーホルダーである。このロールペーパーホルダー１は、ロールペーパーの芯部を一方側から挿通して嵌める円筒状の支持筒２と、前記支持筒２に備えられている揺動レバー３とで構成されており、この揺動レバー３は、支持筒２の基端壁４に固定されて支持筒２内で先端方向に延出している支持部５に軸支されていて、その軸支端には支持筒２の周面から出没するストッパー６を備えている。７、７はストッパー６が出没する開口部である。支持筒２の基端壁３は取付基板８にその裏面側から溶接により固定され、支持筒２は取付基板８に対して直交する方向に突出している。
【００１２】
前記揺動レバー３には、前記支持筒２と略平行に対応するカットバー９が基側から垂下する基部アーム１０と略直角に先端方向に延びており、カットバー９は支持筒２に対してロールペーパーの最大巻き半径よりやや離れる間隔を有している。揺動レバー３の基部アーム１０は支持筒２の基部側開口部１１から支持筒２内に入ってさらに直角に先端方向に延びる軸部１２を有しており、この軸部１２が前記支持部５に軸支され、揺動レバー３は軸部１２を軸心として左右に揺動自在となっている。ストッパー６は前記軸部１２に固定され、その軸心に対して左右に張り出した爪板１３を有しており、爪板１３の左右突起部が揺動レバー３の左右揺動にともなって支持筒の開口部７、７から出没し、ロールペーパーの巻き芯をその内側から突き上げて固定する。前記取付基板８は建物の壁面に取り付けて固定するが、その取付構造は図示を省略する。図中、ロールペーパーを符号Ａで示し、その巻き芯を符号Ｂで示す。
【００１３】
前記カットバー９は、その下辺縁に下から見て（刃先側から見て）なだらかな略山形状の鋸歯状刃を有しているものである。なお、カットバー９は図示の形態のものに限らず、ロールペーパーの引き出した部分を切りやすい態様であればよく、直刃状や下辺縁に下から見て凸状に棒出した形状などであってもよい。
【００１４】
前記支持筒２の先端には、支持筒２の端面形状と略同形の円板状の抜け止め板１４を備えており、この抜け止め板１４は軸心に対し自重で変位する取付構造をなしているものである。１５は案内長溝、１６はその係止突部である。
【００１５】
本発明に係るロールペーパーホルダー１にロールペーパーを装填して使用可能な状態とするには、支持筒２の先端側からロールペーパーの巻き芯を挿通してロールペーパーＡをセットする。
【００１６】
ロールペーパーを使用するにあたっては、その最外径の巻き終わり端から所要の長さ分を引き出したうえ、カットバー９に当てて少し上向きに引き上げる操作をすれば、揺動レバー３がロールペーパーの引き出し方向に傾いてストッパー６の爪板１３が支持筒２の一方の開口部７から突出して、ロールペーパーの巻き芯を内側から突き上げるように押さえ付けるので、ロールペーパーは固定状態となり、その引き出した分をカットバー９の刃により容易かつ確実に切り離すことができる。そして、この操作は片手のみで十分可能である。したがって、ロールペーパーホルダー１の取付態様や場所の状況、あるいは使用者の身障度合や状態に対応して使い勝手が甚だよく汎用性にも優れ、いずれの使用態様においても高い機能性を発揮するものである。
【図面の簡単な説明】
【００１７】
【図１】本発明の一実施の形態に係るロールペーパーホルダーの全体斜視図である。
【図２】同上縦断側面図である。
【図３】要部の斜視図である。
【図４】ロールペーパーを装填した態様の支持筒部分を破断して示す正面図である。
【図５】同上ロールペーパーホルダーを引き出して切り取る態様の支持筒部分を破断して示す正面図である。
【図６】図１と異なる角度からみた全体斜視図である。
【図７】図１とさらに異なる角度からみた全体斜視図である。
【符号の説明】
【００１８】
１  ロールペーパーホルダー
２  支持筒
３  揺動レバー
４  基端壁
５  支持部
６  ストッパー
７、７  開口部
８  取付基板
９  カットバー
１０  基部アーム
１１  基部側開口部
１２  軸部
１３  爪板
１４  抜け止め板
１５  案内長溝
１６  係止突部
Ａ  ロールペーパー
Ｂ  巻き芯
【図１】
2010012063.tif 000003
【図２】
2010012063.tif 000004
【図３】
2010012063.tif 000005
【図４】
2010012063.tif 000006
【図５】
2010012063.tif 000007
【図６】
2010012063.tif 000008
【図７】
2010012063.tif 000009